(57)【特許請求の範囲】
【請求項１】
端子収容部から前方へフード部を延出させた形態のハウジングと、
タブを前記フード部の奥端面から前方へ突出させた状態で前記端子収容部に保持された複数の雄端子金具と、
前記フード部の奥端面から前方へ突出した形態であって、前記フード部に対して不正な斜め姿勢で進入した相手側コネクタが前記タブに接触することを規制する規制部とを備えたコネクタにおいて、
前記規制部が、
前記フード部の奥端面における複数の前記タブの配置領域の範囲内に配された第１規制片と、
前記第１規制片を挟むように位置して、前記第１規制片とともに一列に間隔を空けて並ぶように配された一対の第２規制片と、
前記第１規制片及び前記第２規制片に対し、前記第１規制片と前記第２規制片の並び方向と交差する方向に離間した位置であって、前記第１規制片と前記第２規制片の並び方向における前記フード部の中央位置を含む領域に配された第３規制片とを備え、
前記第１規制片と前記第２規制片との間には、前記タブが、これら両規制片と同列に配置され、
また、前記第１規制片と前記第３規制片との並び方向で挟まれる領域にもタブが配置されていることを特徴とするコネクタ。
【請求項２】
前記第２規制片が、前記フード部の内周に一体に形成されていることを特徴とする請求項１記載のコネクタ。
【請求項３】
前記第１規制片は、前記第１規制片と前記第２規制片の並び方向における前記フード部の中央位置を含む領域に配されていることを特徴とする請求項１又は請求項２記載のコネクタ。
【請求項４】
前記第１規制片は板状をなしており、前記第１規制片には、補強リブが形成されていることを特徴とする請求項１ないし請求項３のいずれかに記載のコネクタ。
【請求項５】
前記第３規制片と前記フード部の内周面との間に、前記タブが配置されていることを特徴とする請求項１ないし請求項４のいずれかに記載のコネクタ。
【請求項６】
前記第３規制片は板状をなしており、前記第３規制片には、補強リブが形成されていることを特徴とする請求項１ないし請求項５のいずれかに記載のコネクタ。
【請求項７】
前記相手側コネクタは、レバーの回動に伴うカム作用によって前記フード部内に嵌合されるようになっており、前記第１規制片と前記第３規制片との並び方向が、前記レバーの回動中心の軸線と直角な方向とされていることを特徴とする請求項１ないし請求項６のいずれかに記載のコネクタ。
【請求項８】
前記端子収容部の前端面には、前記雄端子金具を抜止めするフロントリテーナが取り付けられており、前記第１規制片が前記フロントリテーナに一体に形成されていることを特徴とする請求項１ないし請求項７のいずれかに記載のコネクタ。
【請求項９】
前記端子収容部の前端面には、前記雄端子金具を抜止めするフロントリテーナが取り付けられており、前記第３規制片が前記フロントリテーナに一体に形成されていることを特徴とする請求項１ないし請求項８のいずれかに記載のコネクタ。
【発明の詳細な説明】
【技術分野】
【０００１】
本発明は、コネクタに関するものである。
【背景技術】
【０００２】
特許文献１には、端子収容部から前方へフード部を延出させ、端子収容部から突出する雄端子金具のタブをフード部で包囲し、フード部内に相手側コネクタを嵌合させるようにしたコネクタが開示されている。この種のコネクタでは、フード部に対して斜め姿勢で進入した相手側コネクタが、タブと干渉するのを規制する手段として、フード部の奥端面から開口側に向かって板状の規制部を突出させた形態となっている。
【特許文献１】特開２００３−１５１６８２号公報
【発明の開示】
【発明が解決しようとする課題】
【０００３】
上記従来のコネクタでは、フード部の奥端面において複数のタブが縦横に整列して配置され、規制部は、整列配置されている複数のタブを第１のタブ群と第２のタブ群とに二分するように長く連続して延びた形態となっている。つまり、フード部の奥端面では、第１のタブ群と、規制部と、第２のタブ群とが順に並ぶように配置されているのであるが、このような配置を実現するためには、フード部の奥端面を広くして、タブの配置領域とは別に規制部の形成領域を確保しなければならない。このように、従来では、フード部の奥端面に規制部を設けると、その分、コネクタが大型化するという問題があった。  
本発明は上記のような事情に基づいて完成されたものであって、フード部の奥端面に規制部を設けるに際して、大型化を抑えることを目的とする。
【課題を解決するための手段】
【０００４】
上記の目的を達成するための手段として、請求項１の発明は、端子収容部から前方へフード部を延出させた形態のハウジングと、タブを前記フード部の奥端面から前方へ突出させた状態で前記端子収容部に保持された複数の雄端子金具と、前記フード部の奥端面から前方へ突出した形態であって、前記フード部に対して不正な斜め姿勢で進入した相手側コネクタが前記タブに接触することを規制する規制部とを備えたコネクタにおいて、前記規制部が、記フード部の奥端面における複数の前記タブの配置領域の範囲内に配された第１規制片と、前記第１規制片を挟むように位置して、前記第１規制片とともに一列に間隔を空けて並ぶように配された一対の第２規制片と、前記第１規制片及び前記第２規制片に対し、前記第１規制片と前記第２規制片の並び方向と交差する方向に離間した位置であって、前記第１規制片と前記第２規制片の並び方向における前記フード部の中央位置を含む領域に配された第３規制片とを備え、前記第１規制片と前記第２規制片との間には、前記タブが、これら両規制片と同列に配置され、また、前記第１規制片と前記第３規制片との並び方向で挟まれる領域にもタブが配置されているところに特徴を有する。
【０００５】
請求項２の発明は、請求項１に記載のものにおいて、前記第２規制片が、前記フード部の内周に一体に形成されているところに特徴を有する。  
請求項３の発明は、請求項１または請求項２に記載のものにおいて、前記第１規制片は、前記第１規制片と前記第２規制片の並び方向における前記フード部の中央位置を含む領域に配されているところに特徴を有する。  
請求項４の発明は、請求項１ないし請求項３のいずれかに記載のものにおいて、前記第１規制片は板状をなしており、前記第１規制片には、補強リブが形成されているところに特徴を有する。
【０００６】
請求項５の発明は、請求項１ないし請求項４のいずれかに記載のものにおいて、前記第３規制片と前記フード部の内周面との間に、前記タブが配置されているところに特徴を有する。
【０００７】
請求項６の発明は、請求項１ないし請求項５のいずれかに記載のものにおいて、前記第３規制片は板状をなしており、前記第３規制片には、補強リブが形成されているところに特徴を有する。
請求項７の発明は、請求項１ないし請求項６のいずれかに記載のものにおいて、前記相手側コネクタは、レバーの回動に伴うカム作用によって前記フード部内に嵌合されるようになっており、前記第１規制片と前記第３規制片との並び方向が、前記レバーの回動中心の軸線と直角な方向とされているところに特徴を有する。
【０００８】
請求項８の発明は、請求項１ないし請求項７のいずれかに記載のものにおいて、前記端子収容部の前端面には、前記雄端子金具を抜止めするフロントリテーナが取り付けられており、前記第１規制片がフロントリテーナに一体に形成されているところに特徴を有する。
【０００９】
請求項９の発明は、請求項１ないし請求項８のいずれかに記載のものにおいて、前記端子収容部の前端面には、前記雄端子金具を抜止めするフロントリテーナが取り付けられており、前記第３規制片が前記フロントリテーナに一体に形成されているところに特徴を有する。
【発明の効果】
【００１０】
＜請求項１の発明＞
規制部を、第１規制片と一対の第２規制片とを間隔を空けて一列に並べた形態とし、第１規制片と第２規制片と間にタブを配置した。つまり、タブの一部は、規制部の形成領域の範囲内に位置することになる。この規制片の間に配置されるタブの分だけ、タブの配置領域を小さくできるので、規制部が連続して連なった形態のものに比べると、大型化が抑えられる。
また、第１・第２の規制片に加え、これらの並び方向と交差する方向に離間した位置に第３規制片を配置したため、相手側コネクタの不正姿勢での進入をより確実に規制できる。さらに、第３規制片が、フード部の中央位置を含む領域に配置されているので、この点においても、相手側コネクタの進入を規制する機能の信頼性に優れている。
【００１１】
＜請求項２の発明＞
第２規制片は、フード部の内周面に一体に形成されているので、剛性が高く、相手側コネクタからの押圧力を受けて変形する虞はない。  
＜請求項３の発明＞
相手側コネクタが斜め姿勢でフード部内に進入したときには、相手側コネクタの角部が最も深く進入し、この角部は、フード部の中央領域に位置することになる。この点に鑑み、第１規制片を、第１規制片と第２規制片の並び方向におけるフード部の中央位置を含む領域に配したので、相手側コネクタの進入深さを極力浅く抑えることができる。
【００１２】
＜請求項４の発明＞
第１規制片は、フード部の中央領域に単独で板状に突出する形態であるため、剛性不足が懸念されるが、補強リブを形成して第１規制片の剛性を高めているので、相手側コネクタの不正姿勢での進入を確実に防止できる。
【００１３】
＜請求項５の発明＞
第３規制片とフード部の内周面との間にタブを配置したので、その分、他のタブの配置領域を小さくすることができる。
＜請求項６の発明＞
第３規制片は、フード部の中央領域に単独で板状に突出する形態であるため、剛性不足が懸念されるが、補強リブを形成して第３規制片の剛性を高めているので、相手側コネクタの不正姿勢での進入を確実に防止できる。
＜請求項７の発明＞
相手側コネクタは、嵌合する際に、フード部に対してレバーの回動中心を支点として傾こうとするのであるが、このとき、第１規制片と第３規制片が、レバーの回動中心と直角な方向に離間した配置となっているので、相手側コネクタの傾きを確実に防止することができる。
【００１４】
＜請求項８の発明＞
第１規制片をフロントリテーナに形成したので、端子収容部の前面に第１規制片を形成する場合に比べて、ハウジングの形状を簡素化できる。
＜請求項９の発明＞
第３規制片をフロントリテーナに形成したので、端子収容部の前面に第３規制片を形成する場合に比べて、ハウジングの形状を簡素化できる。
【発明を実施するための最良の形態】
【００１５】
＜実施形態１＞
以下、本発明を具体化した実施形態１を図１乃至図９を参照して説明する。本実施形態の雄コネクタＭ（本発明の構成要件であるコネクタ）は、レバー４０を用いて雌コネクタＦ（本発明の構成要件である相手側コネクタ）と嵌合するようにしたものである。雄コネクタＭは、雄ハウジング１０と、複数の雄端子金具２０と、フロントリテーナ３０と、レバー４０とを備えて構成されている。
【００１６】
雄ハウジング１０は、合成樹脂製であり、縦長のブロック状をなす端子収容部１１と、端子収容部１１の外周縁から前方へ延出した形態のフード部１２とを一体形成したものである。端子収容部１１の内部には、前後方向に貫通する複数のキャビティ１３が上下左右に所定の配置で形成されている。図３及び図４に示すように、端子収容部１１の内部には、各キャビティ１３の内壁に沿って前方へ片持ち状に延出するランス１４と、ランス１４の弾性撓みを許容するために端子収容部１１の前端面に開放された形態の撓み空間１５とが形成されている。
【００１７】
同じく端子収容部１１内には、フロントリテーナ３０を保持するための４つの係止孔１６が形成されている。この４つの係止孔１６は、端子収容部１１の前端面における上端部及び下端部の左右両端部に開口するように配置され、図３に示すように、各係止孔１６の内壁面には、仮係止部１７と本係止部１８とが形成されている。  
フード部１２は、上面壁と下面壁と左右両側面壁とを有する縦長の筒状をなす。フード部１２には、その両側面壁の外側面から突出する一対の支持軸１９が形成されている。この一対の支持軸１９の軸線は、左右方向となっている。
【００１８】
雄端子金具２０は、図３及び図４に示すように、全体として前後方向に細長く、角筒状をなす端子本体２１と、端子本体２１の前端から前方へ突出するタブ２２と、端子本体２１から後方へ延出する電線圧着部２３とを一体形成したものである。端子本体２１には図示しないランス孔が形成され、電線圧着部２３には電線（図示せず）が接続されるようになっている。雄端子金具２０は、後方からキャビティ１３内に挿入され、ランス孔をランス１４に係止させることにより抜止め状態に保持される。雄端子金具２０が正規挿入された状態では、タブ２２が、端子収容部１１の前端面から前方のフード部１２で囲まれた嵌合空間内に突出する。雄端子金具２０をキャビティ１３に挿入する過程では、ランス１４が撓み空間１５内に進出するように弾性撓みし、雄端子金具２０が正規挿入されると、弾性復帰して雄端子金具２０に係止する。
【００１９】
フロントリテーナ３０は、合成樹脂製であり、全体として端子収容部１１の前端面と平行な平板状をなす。フロントリテーナ３０には、各タブ２２が貫通することを許容するとともに、治具（図示せず）を前方から差し込むことを許容するためための複数の貫通孔３１が形成されている。フロントリテーナ３０には、その上下両端部における左右両側縁から後方へ突出する４片の弾性係止部３２が形成されている。弾性係止部３２は、側方への弾性撓みが可能であって、図３に示すように、弾性係止部３２の後端（突出端）には係止突起３３が形成されている。さらに、図３及び図４に示すように、フロントリテーナ３０には、端子収容部１１の撓み空間１５に進入可能な係合片３４が、後方へ突出する形態で形成されている。
【００２０】
レバー４０は、合成樹脂製であり、操作部４１と、操作部４１の左右両端から板状に延出する一対のアーム部４２とを一体に形成したものである。アーム部４２には、アーム部４２を左右に貫通する軸受孔４３と、アーム部４２の内面を溝状に切欠した形態のカム機能部４４とが形成されている。カム機能部４４は、アーム部４２の外周縁から、軸受孔４３に接近しながら軸受孔４３を中心とする径方向に対して斜め方向に延びた形態となっている。かかるレバー４０は、アーム部４２をフード部１２の左右両側面壁の外側面に沿わせて軸受孔４３を支持軸１９に嵌合させることで、初期位置と嵌合位置との間で回動し得るようになっている。レバー４０が初期位置にある状態では、カム機能部４４の外周縁に臨む進入口が前方に開口するように位置する。
【００２１】
雄コネクタＭを組み付ける際には、まず、前方からフード部１２内にフロントリテーナ３０を差し込み、フロントリテーナ３０の弾性係止部３２を端子収容部１１の係止孔１６に嵌入し、係止突起３３を仮係止部１７に係止させる。これにより、フロントリテーナ３０は、雄ハウジング１０に対して仮係止位置に組み付けられる。仮係止位置に組み付けられたフロントリテーナ３０は、その後面を端子収容部１１の前端面よりも前方に離間させた位置にあり、外周縁をフード部１２の内周面に接触させることにより、ハウジング１０に対して上下左右方向（雄端子金具２０の挿入方向及びタブ２２の長さ方向と直角な方向であり、両コネクタＭ，Ｆの嵌合方向と直角な方向である）への相対移動を規制された状態に位置決めされる。また、フロントリテーナ３０の係合片３４は、端子収容部１１の撓み空間１５よりも前方に退避した位置にあって、ランス１４は、撓み空間１５側への弾性撓みを許容された状態となる。
【００２２】
この後、後方から各キャビティ１３に雄端子金具２０を挿入する。挿入する過程では、ランス１４が端子本体２１との干渉により撓み空間１５側へ弾性撓みし、雄端子金具２０が正規の挿入位置に達すると、ランス１４が弾性復帰して端子本体２１のランス孔に係止し、この係止作用によって雄端子金具２０が抜止め状態に保持される。雄端子金具２０が正規挿入された状態では、タブ２２が端子収容部１１の前端面から前方のフード部１２で包囲された嵌合空間内に突出し、タブ２２の前端部は、フロントリテーナ３０の貫通孔３１に貫通されることにより、フロントリテーナ３０に対する上下左右方向への相対移動を規制された状態に位置決めされる。
【００２３】
全ての雄端子金具２０が正規挿入された後は、前方からフロントリテーナ３０を押して本係止位置（雄ハウジング１０に対する正規の組付位置）へ移動させる。フロントリテーナ３０が本係止位置にある状態では、図３に示すように、弾性係止部３２の係止突起３３が本係止部１８に係止することにより、フロントリテーナ３０が本係止位置に保持されるとともに、図３及び図４に示すように、係合片３４が各撓み空間１５内に進入してランス１４の弾性撓みを規制する。これにより、雄端子金具２０は、ランス１４とフロントリテーナ３０との二重の抜止め作用によって、確実にキャビティ１３内に保持される。また、本係止位置にある状態では、フロントリテーナ３０は端子収容部１１の前端面に対して当接するうよに重なった状態となり、この状態においては、フロントリテーナ３０の前面がフード部１２の奥端面となる。
【００２４】
雌コネクタＦは、ブロック状をなす雌ハウジング５０と、雌ハウジング５０内に挿入された複数の周知形態の雌端子金具（図示せず）とを備えて構成される。雌ハウジング５０の左右両外側面には、一対のカムフォロア５４が突出形成されている。また、雌ハウジング５０には、その前端面（雄コネクタＭとの嵌合時における端子収容部１１との対向面）を凹ませた形態の第１位置決め凹部５１と第３位置決め凹部５３とが形成されている。この第１位置決め凹部５１と第３位置決め凹部５３、夫々、後述する第１規制片６１と第３規制片６３との干渉を回避するためのものであって、横長のスリット状に開口されている。また、雌ハウジング５０には、その左右両外側面を前後方向に延びるスリット状に切欠した形態の一対の第２位置決め凹部５２が形成されている。この第２位置決め凹部５２は、第２規制片６２との干渉を回避するためのものである。
【００２５】
両コネクタＭ，Ｆを嵌合する際には、図５に示すように、レバー４０を初期位置に保持し、カム機能部４４の進入口を前方に向けて開口させた状態にしておき、その状態で、図８に示すように、全方からフード部１２内に雌ハウジング５０を嵌合させて、カムフォロア５４をカム機能部４４の進入口に進入させる。この状態から、操作部４１を摘んでレバー４０を嵌合完了位置へ回動させると、カム機能部４４とカムフォロア５４との係合によるカム作用により雌コネクタＦが雄コネクタＭに引き寄せられる。そして、レバー４０が嵌合完了位置に達すると、図９に示すように、両コネクタＭ，Ｆが正規の嵌合状態に至る。
【００２６】
さて、本実施形態では、雌ハウジング５０が不正な斜め姿勢でフード部１２に嵌入されたときに、その雌ハウジング５０がフード部１２内のタブ２２と干渉するのを回避する手段として、雄コネクタＭには、規制部が設けられている。規制部は、フロントリテーナ３０に一体に形成した１片の第１規制片６１と、フード部１２に一体に形成した一対の第２規制片６２と、フロントリテーナ３０に一体に形成した１片の第３規制片６３とから構成されている。
【００２７】
第１規制片６１は、フロントリテーナ３０の前面から直角に前方（フード部１２に対する雌ハウジング５０の正規の組み付け方向と平行な方向）へ水平な板状に突出した形態である。フロントリテーナ３０の前面（フード部１２の奥端面）における第１規制片６１の位置については、上下方向においては下端から約１／３の位置に配され、左右方向においては中央部に配置されている。
【００２８】
第１規制片６１の左右方向の寸法は、フード部１２の左右寸法の約１／４の長さとなっている。また、フロントリテーナ３０からの第１規制片６１の前方への突出寸法は、フード部１２の奥行き深さの約２／３の寸法であり、第１規制片６１の前端は、タブ２２の前端よりも前方に位置し、フード部１２の開口面よりも後方に位置する。また、第１規制片６１の上面には、左右に間隔を空けた３つの補強リブ６４が突出形成されている。３つの補強リブ６４は、第１規制片６１の左右両端縁に沿った位置と、第１規制片６１の左右方向中央位置とに配置され、第１規制片６１の基端（後端）から突出端（前端）に至る全長に亘って連続して形成されている。
【００２９】
第２規制片６２は、フード部１２の左右両側面壁の内面に一体に形成されている。第２規制片６２は、端子収容部１１の前端面からフード部１２の前端（開口端）に亘って連続した形態であって、フード部１２の奥端面から第１規制片６１及び第３規制片６３と平行にリブ状に前方へ延びている。フード部１２の奥端面における第２規制片６２の位置については、上下方向においては第１規制片６１と同じ高さであり、左右方向においては、第１規制片６１を左右から挟んだ位置に配置されている。この一対の第２規制片６２と第１規制片６１は、水平（左右方向）に間隔を空けて一列に並ぶように配置されている。
【００３０】
また、左右方向における第２規制片６２の寸法（フード部１２の内からの突出寸法）は、第１規制片６１の左右寸法よりも小さい。また、左右方向において、第１規制片６１と一対の第２規制片６２との間には、第１規制片６１の左右寸法よりも少し広い一対の下部配置スペース６５が空けられている。尚、フロントリテーナ３０の左右両側縁部には、第２規制片６２との干渉を回避するための逃がし溝３５が形成されている。
【００３１】
第３規制片６３は、第１規制片６１と同様に、フロントリテーナ３０の前面から直角に前方（タブ２２と平行な方向）へ水平な板状に突出した形態である。フロントリテーナ３０の前面（フード部１２の奥端面）における第３規制片６３の位置については、上下方向においては上端から約１／３の位置に配され、左右方向においては中央部に配置されている。第３規制片６３の左右方向の寸法は、フード部１２の左右寸法の約１／３の長さ（つまり、第１規制片６１よりも幅広）となっている。また、フロントリテーナ３０からの第３規制片６３の前方への突出寸法は、フード部１２の奥行き深さの約２／３の寸法であり、第１規制片６１の前端は、タブ２２の前端よりも前方に位置し、フード部１２の開口面よりも後方に位置する。第３規制片６３の突出寸法は第１規制片６１の突出寸法と同じである。
【００３２】
また、第３規制片６３の下面（第１規制片６１と対応する面）には、左右に間隔を空けた３つの補強リブ６４が突出形成されている。３つの補強リブ６４は、第３規制片６３の左右両端縁に沿った位置と、第３規制片６３の左右方向中央位置とに配置され、第３規制片６３の基端（後端）から突出端（前端）に至る全長に亘って連続して形成されている。左右方向において、第３規制片６３とフード部１２の内面壁との間には、第３規制片６３の左右寸法よりも少し狭い一対の上部配置スペース６６が空けられている。この上部配置スペース６６の左右寸法は、下部配置スペース６５の左右寸法とほぼ同じ寸法となっている。
【００３３】
フード部１２の奥端面から前方へ突出している複数のタブ２２の大部分は、上下方向に４列に並んで配置されているのであるが、これらの複数のタブ２２の配置領域は、第３規制片６３による左右方向の上部境界線と、第１規制片６１及び第２規制片６２による左右方向の下部境界線とによって上下３つの配置領域に区画されている。  
下部境界線上には、第１規制片６１と第２規制片６２との間の一対の下部配置スペース６５が位置しており、この一対の下部配置スペース６５には、夫々、タブ２２が１つずつ配置されている。この下部配置スペース６５に配置されているタブ２２は、それよりも上方に隣接するタブ２２及び下方に隣接するタブ２２に対し、左右方向にずれて配置されている。
【００３４】
一方、上部境界線上には、第３規制片６３を挟む一対の上部配置スペース６６が位置しており、この一対の上部配置スペース６６には、夫々、タブ２２が１つずつ配置されている。この上部配置スペース６６に配置されているタブ２２は、それよりも上方に隣接するタブ２２及び下方に隣接するタブ２２に対し、左右方向において同じ位置に配置されている。つまり、上部の配置領域において左右両端に配されたタブ２２と、中央部の配置領域において左右両端に配されたタブ２２と、上部配置スペース６６に配されたタブ２２とは、左右にずれることなく上下方向に１列に並んでいる。
【００３５】
雌コネクタＦが正規の姿勢でフード部１２に組み付けられた場合には、第１位置決め凹部５１と第１規制片６１とが嵌合し、第２位置決め凹部５２と第２規制片６２とが嵌合し、第３位置決め凹部５３と第３規制片６３とが嵌合しながら、雌ハウジング５０は支障なくフード部１２内に嵌合される。
【００３６】
これに対し、雌ハウジング５０が不正な斜め姿勢でフード部１２に組み付けられようとした場合は、雌ハウジング５０の角部が最も深くフード部１２内に進入するのであるが、タブ２２の前端よりも前方に第１規制片６１、第２規制片６２及び第３規制片６３が存在しているので、雌ハウジング５０の角部がタブ２２の前端に当たることはない。これにより、タブ２２が、雌ハウジング５０の当接に起因して損傷することが防止されている。
【００３７】
本実施形態においては、雌ハウジング５０がタブ２２に干渉するのを防止する手段である規制部として、フード部１２の奥端面におけるタブ２２の配置領域の範囲内に配された第１規制片６１と、第１規制片６１を挟むように位置して、第１規制片６１とともに一列に間隔を空けて並ぶように配された一対の第２規制片６２とを備えた構成（つまり、第１規制片６１と一対の第２規制片６２とを間隔を空けて一列に並べた形態）とし、第１規制片６１と第２規制片６２との間にタブ２２を配置した。この構成によれば、タブ２２の一部は、規制部の形成領域の範囲内に位置することになるので、この第１規制片６１と第２規制片６２の間に配置されるタブ２２の分だけ、タブ２２の配置領域を小さくできる。したがって、規制部が連続して連なった形態のものに比べると、大型化が抑えられる。
【００３８】
また、第２規制片６２は、フード部１２の内周面に一体に形成されているので、剛性が高く、相手側コネクタからの押圧力を受けたときに変形する虞はない。  
また、雌コネクタＦが斜め姿勢でフード部１２内に進入したときには、雌コネクタＦの角部が最も深く進入し、この角部は、フード部１２の中央領域に位置することになる。この点に鑑み、第１規制片６１を、第１規制片６１と第２規制片６２の並び方向におけるフード部１２の中央位置を含む領域に配したので、雌コネクタＦの進入深さを極力浅く抑えることができる。
【００３９】
また、第１規制片６１は、フード部１２の中央領域に単独で板状に突出する形態であるため、剛性不足が懸念されるが、補強リブ６４を形成して第１規制片６１の剛性を高めているので、雌コネクタＦの不正姿勢での進入を確実に防止できる。
【００４０】
また、規制部として、第１規制片６１及び第２規制片６２に対し、第１規制片６１と第２規制片６２の並び方向（左右方向）と交差する上下方向に離間した位置であって、第１規制片６１と第２規制片６２の並び方向におけるフード部１２の中央位置を含む領域に配された第３規制片６３を設けている。この構成によれば、第１規制片６１と第２規制片６２の並び方向と交差する方向に離間した２位置に規制部が配置されるので、雌コネクタＦの付勢姿勢での進入を、より確実に規制できる。また、第３規制片６３は、フード部１２の中央位置を含む領域に配置されているので、この点においても、雌コネクタＦの進入を規制する機能の信頼性に優れている。
【００４１】
また、第３規制片６３とフード部１２の内周面との間にタブ２２を配置したので、その分、他のタブ２２の配置領域を小さくすることができる。  
また、第３規制片６３は、フード部１２の中央領域に単独で板状に突出する形態であるため、剛性不足が懸念されるが、補強リブ６４を形成して第３規制片６３の剛性を高めているので、雌コネクタＦの不正姿勢での進入を確実に防止できる。
【００４２】
また、雌コネクタＦは、嵌合する際に、フード部１２に対してレバー４０の回動中心（支持軸１９）を支点として傾こうとするのであるが、このとき、第１規制片６１と第３規制片６３が、レバー４０の回動中心と直角な上下方向に離間した配置となっている（第１規制片６１と第３規制片６３との並び方向が、レバー４０の回動中心の軸線と直角な方向とされている）ので、この上下２つの規制片６１，６３によって雌コネクタＦの傾きを確実に防止することができる。
【００４３】
また、端子収容部１１の前端面には、雄端子金具２０を抜止めするためのフロントリテーナ３０が取り付けられているのであるが、この点に着目し、本実施形態では、第１規制片６１と第３規制片６３をフロントリテーナ３０に一体に形成した。したがって、端子収容部の前面に第１規制片と第３規制片とを一体形成する場合に比べると、雄ハウジング１０（端子収容部１１の前面）の形状を簡素化できる。
【００４４】
＜他の実施形態＞
本発明は上記記述及び図面によって説明した実施形態に限定されるものではなく、例えば次のような実施態様も本発明の技術的範囲に含まれる。 
（１）本発明は、レバー式コネクタに限らず、レバーを有しないコネクタにも適用できる。 
（２）上記実施形態では、第１規制片と第２規制片との間の２つの配置スペースの両方にタブを配置したが、本発明によれば、第１規制片と第２規制片との間の２つの配置スペースのうち、いずれか一方の配置スペースのみにタブを配置してもよい。 
（３）第１規制片と第２規制片との間に配置するタブの数は、１つに限らず、２つ以上でもよい。 
（４）上記実施形態では第１規制片と第２規制片との間の２つの配置スペースに同じ数（１つ）のタブを配置したが、本発明によれば、第１規制片と第２規制片との間の２つの配置スペースに配置されるタブの数は、互いに異なっていてもよい。 
（５）上記実施形態では第１規制片の数を１片としたが、本発明によれば、複数の第１規制片を第２規制片とともに並べて配置してもよい。 
（６）第２規制片は、フード部とは別体であってもよい。この場合、第２規制片は、フード部の内周面に接触してしてもよく、フード部のな内周面から離間してしてもよい。 
（７）上記実施形態では、第１規制片を、第１規制片と第２規制片の並び方向におけるフード部の中央位置を含む領域に配したが、本発明によれば、第１規制片は、第１規制片と第２規制片の並び方向におけるフード部の中央位置から外れた位置に配されていてもよい。 
（８）上記実施形態では第１規制片と第３規制片に補強リブを形成したが、本発明によれば、補強リブを形成しない形態としてもよい。 
（９）上記実施形態では第１規制片をフロントリテーナに形成したが、本発明によれば、第１規制片を端子収容部の前面に形成してもよい。 
（１０）上記実施形態では第３規制片をフロントリテーナに形成したが、本発明によれば、第３規制片を端子収容部の前面に形成してもよい。 
（１１）第１規制片の前端の位置と第３規制片の前端の位置とは、前後方向において互いに異なっていてもよい。 
（１２）第１規制片の前端は、前後方向においてフード部の開口面と同じ位置にあってもよい。 
（１３）第３規制片の前端は、前後方向においてフード部の開口面と同じ位置にあってもよい。 
（１４）第２規制片の前端は、前後方向においてフード部の開口面よりも後方に位置していてもよい。
【図面の簡単な説明】
【００４５】
【図１】実施形態１の雄コネクタの正面図
【図２】フロントリテーナを外した状態をあらわす雄コネクタの正面図
【図３】図１のＡ−Ａ線断面図
【図４】図１のＢ−Ｂ線断面図
【図５】レバーが初期位置にある状態をあららす雄コネクタの側面図
【図６】雌コネクタの正面図
【図７】雌コネクタの側面図
【図８】雄コネクタと雌コネクタの嵌合過程をあらわす側面図
【図９】雄コネクタと雌コネクタが嵌合した状態をあらわす側面図
【符号の説明】
【００４６】
Ｍ…雄コネクタ（コネクタ）
Ｆ…雌コネクタ（相手側コネクタ）
１０…雄ハウジング（ハウジング）
１１…端子収容部
１２…フード部
２０…雄端子金具
２２…タブ
３０…フロントリテーナ
４０…レバー
６１…第１規制片（規制部）
６２…第２規制片（規制部）
６３…第３規制片（規制部）
６４…補強リブ
【図１】
0005211639.tif 000002
【図２】
0005211639.tif 000003
【図３】
0005211639.tif 000004
【図４】
0005211639.tif 000005
【図５】
0005211639.tif 000006
【図６】
0005211639.tif 000007
【図７】
0005211639.tif 000008
【図８】
0005211639.tif 000009
【図９】
0005211639.tif 000010